(57)【要約】【課題】情報提供システムに関し、情報提供側からの要望により、特定地域内の複数の移動機に、当該地域のサービス情報を容易に提供可能とすることを目的とする。【解決手段】収容装置間に通信路を設定するネットワーク６と、所定地域内の移動機１を無線回線経由でネットワークに収容する複数の無線基地局２と、各移動機の現存地域を管理する位置情報管理装置３と、特定地域内に現存する移動機に対して提供するサービス情報を作成し、特定地域内の移動機に配送を要求する情報提供要求装置５と、情報提供要求装置から受信したサービス情報を、位置情報問合せ手段４０１およびサービス情報配送手段４０２、更に配送タイミング制御手段４０３または利用者登録手段４０４を制御して、指定地域内の各移動機に配送する情報サービス提供装置４とから成る情報提供システムを構成する。【選択図】　　図１
2004007417.tif 000002
【特許請求の範囲】
【請求項１】
配送すべき地域を指定する情報を含むサービス情報提供要求を情報提供要求装置から受信し、前記配送対象地域を指定する情報をもとに特定される特定地域内に現存する移動機に、前記情報提供要求装置から受信済のサービス情報を配送するサービス情報配送手段を具備することを特徴とする情報提供システム。
【請求項２】
特定の地域内に現存する移動機に対して提供するサービス情報を含み、配送対象地域を指定する情報を含まぬサービス情報提供要求を情報提供要求装置から受信し、前記サービス情報を前記特定地域内に現存する各移動機に配送する情報サービス提供装置を具備し、
前記情報サービス提供装置は、前記情報提供要求装置から、前記サービス情報提供要求を受信した場合に、前記提供要求元の情報提供要求装置の現存地域を取得した後、前記現存地域内に現存する移動機に、前記情報提供要求装置から受信済の前記サービス情報を配送するサービス情報配送手段を具備することを特徴とする情報提供システム。
【発明の詳細な説明】
【０００１】
【発明の属する技術分野】
本発明は情報提供システムに関し、特に情報サービス提供者からの要求に基づき、所定のサービス情報を指定区域内の複数の移動機に提供する情報提供システムに関する。
【０００２】
【従来の技術】
従来ある情報提供システムとしては、情報利用者が主導となるシステム〔一名プル型システム〕と、情報提供者が主導となるシステム〔一名プッシュ型システム〕とがあり、プル型情報提供システムとしては、例えば携帯電話機等の移動機が、現存位置近辺のサービス情報、例えばレストラン情報やショッピング情報等の入手を希望した場合に、当該移動機が、無線基地局および移動通信交換機等から構成される移動体通信網を経由して情報サービス提供装置に接続してサービス情報の取得を要求し、情報サービス提供装置は、当該移動機の現存位置近辺のサービス情報を、移動体通信網を経由して移動機に提供する方式が提案されている。
【０００３】
また、プッシュ型情報提供システムとしては、情報提供者が、無線呼出し受信機〔通称ポケットベル〕を持参する情報利用者に、例えばニュース等の情報を一斉同報通信を行うサービス等も実用化されているが、広域の消費者への情報提供を対象とするものである。
【０００４】
【発明が解決しようとする課題】
然し、前述のプル型情報提供システムにおいては、利用者側が情報の取得行動を起こさない限り、情報提供者が提供を希望する情報が利用者側へ伝達されることは無く、サービス提供側が主導となるサービス情報、例えばコマーシャル情報〔特にデパートのタイムサービス等〕の提供には不向きであるという問題があった。
【０００５】
また、前述のプッシュ型の情報提供システムは、広大なポケットベルの呼出し範囲に位置する不特定多数のポケットベルを対象とした同報による情報提供であるために、特定地域に密着した情報を効果的に提供するには不適当である。
【０００６】
本発明は、情報提供側からの要望により、特定地域内の複数の移動機に、当該地域のサービス情報を容易に提供可能とすることを目的とする。
【０００７】
【課題を解決するための手段】
図１は本発明の原理図である。
図１において、１は移動機、２は無線基地局、３は位置情報管理装置、４は情報サービス提供装置、５は情報提供要求装置、６はネットワークである。
【０００８】
４０１は、情報サービス提供装置４に設けられた位置情報問合せ手段である。４０２は、情報サービス提供装置４に設けられたサービス情報配送手段である。
【０００９】
４０３は、情報サービス提供装置４に設けられた配送タイミング制御手段である。
４０４は、情報サービス提供装置４に設けられた利用者登録手段である。
【００１０】
ネットワーク６は、収容する装置からの要求に基づき、任意の装置間に所望の通信路を設定する。
各無線基地局２は、所定の地域内に現存する移動機１を、無線回線を経由してネットワーク６に収容する。
【００１１】
位置情報管理装置３は、各移動機１の現存地域を一括管理するとともに、情報提供要求装置５の現存地域も管理している。
情報提供要求装置５は、デパートのタイムサービス等のコマーシャル情報などの情報を特定の地域内に現存する移動機１に対して提供しようとする情報提供者が用いる装置であり、提供しようとするサービス情報を作成し、特定地域内の移動機１に対する配送を、ネットワーク６を経由して情報サービス提供装置４に要求する。
【００１２】
情報サービス提供装置４は、情報提供要求装置５から受信したサービス情報を、ネットワーク６および無線基地局２を経由して特定地域内に現存する各移動機１に配送する機能を有し、位置情報問合せ手段４０１とサービス情報配送手段４０２とを具備する。
【００１３】
位置情報問合せ手段４０１は、情報提供要求装置５からサービス情報の提供要求を受信した場合に、特定地域内に現存する移動機１を、位置情報管理装置３に問合せる。
【００１４】
サービス情報配送手段４０２は、位置情報問合せ手段４０１が位置情報管理装置３から通知された特定地域に現存する総ての移動機１に、情報提供要求装置５から受信済のサービス情報を、ネットワーク６および無線基地局２を経由して配送する。
また位置情報管理装置３は、情報提供要求装置５の現存地域を、移動機１の現存地域と併せ管理している。この状態で、位置情報問合せ手段４０１は、情報提供要求装置５から配送対象地域を指定する情報を含まぬサービス情報の提供要求を受信した場合に、提供要求元の情報提供要求装置５の現存地域を位置情報管理装置３に問合せる。そして位置情報管理装置３から情報提供要求装置５の現存地域を取得した後、その現存地域内に現存する移動機１を、位置情報管理装置３に問合せる。
また情報サービス提供装置４は、情報提供要求装置５から配送時期を指定するタイミング情報を付加したサービス情報の提供要求を受信した場合に、受信したサービス情報の配送時期を指定するタイミング情報を保持し、タイミング情報に指定された配送時期の到来を監視し、タイミング情報に指定の時期が到来したことを検出した場合に、受信済のサービス情報の配送処理を起動させる配送タイミング制御手段４０３を付設することが考慮される。
また情報サービス提供装置４は、当該情報提供システムにより提供されるサービス情報の利用を希望する移動機１が送信する、所定のサービス利用登録要求情報を、ネットワーク６を経由して受信した場合に、サービス利用登録要求情報の送信元移動機１を登録する利用者登録手段４０４を付設し、サービス情報配送手段４０２は、情報提供要求装置５からサービス情報の提供要求を受信した場合に、位置情報問合せ手段４０１が位置情報管理装置３から取得した特定地域内に現存する移動機１の中から、利用者登録手段４０４に登録済の移動機１のみをサービス情報の配送対象移動機１として抽出し、情報提供要求装置５から受信済のサービス情報を配送することが考慮される。
また利用者登録手段４０４は、サービス利用を登録済で且つ該サービスを利用停止状態にある移動機１が、サービスの利用開始を要求する所定のサービス利用開始要求情報を、ネットワーク６を経由して情報サービス提供装置４に送信した場合に、サービス利用開始要求情報の送信元移動機１をサービス利用可能状態に設定変更し、また情報配送手段４０１は、情報提供要求装置５からサービス情報の提供要求を受信した場合に、サービス情報の配送対象移動機１を抽出する過程で、利用者登録手段４０４がサービス利用可能状態に設定変更した移動機１を、サービス情報の配送対象移動機１に編入することが考慮される。
また利用者登録手段４０４は、サービス利用を登録済で且つ利用可能状態にある移動機１が、サービスの利用一時停止を要求する所定のサービス利用一時停止要求情報を、ネットワーク６を経由して情報サービス提供装置４に送信した場合に、サービス利用一時停止要求情報の送信元移動機１をサービス利用停止状態に設定変更し、またサービス情報配送手段４０２は、情報提供要求装置５からサービス情報の提供要求を受信した場合に、サービス情報の配送対象移動機１を抽出する過程で、利用者登録手段４０４がサービス利用停止状態に設定変更した移動機１を、サービス情報の配送対象移動機１から除外することが考慮される。
また、利用者登録手段４０４は、当該情報提供システムにより提供されるサービス情報の利用を希望する移動機１が送信するサービス利用登録要求情報に、利用を希望するサービス情報の種別、或いは利用者の属性を指定する分類情報を付加してネットワーク６を経由して情報サービス提供装置４に送信した場合に、サービス利用を希望する移動機１に対応して、付加された分類情報を登録し、かかる状態でサービス情報配送手段４０２は、情報提供要求装置５から分類情報を付加した提供要求を受信した場合に、サービス情報の配送対象移動機１を抽出する過程で、配送対象サービス情報に付加されている分類情報と、利用者登録手段４０４に登録済の移動機１の分類情報とを比較し、サービス情報の配送対象移動機１を選出することが考慮される。
また、情報提供要求装置５は、特定の地域内に現存する移動機１に対して提供するサービス情報を、前記特定地域内の移動機１に対する配送を要求し、かかる状況で情報サービス提供装置４は、前記サービス情報を、前記特定地域内に現存する各移動機１に配送し、サービス情報配送手段４０２は、前記情報提供要求装置５から前記サービス情報の提供要求を受信した場合に、前記特定地域内に現存する移動機１に、前記情報提供要求装置５から受信済の前記サービス情報を配送する。
更に、サービス情報配送手段は、前記情報提供要求装置から前記サービス情報の提供要求を受信した場合に、前記提供要求元の情報提供要求装置の現存地域を取得した後、前記現存地域内に現存する移動機に、前記情報提供要求装置から受信済の前記サービス情報を配送する。
従って、情報提供要求装置は、作成したサービス情報を所望地域内に現存する移動機に配送可能となり、またサービス情報の提供時期を指定することも可能となり、一方移動機は、当該サービスの利用を登録することにより、情報提供要求装置の作成するサービス情報を利用可能となり、また必要に応じてサービスの利用を一時停止および停止解除可能となり、更にサービス情報の分類、或いは利用者の属性等を指定する分類情報して利用することも可能となり、当該情報提供システムの利用効果が大幅に向上する。
【００１５】
【発明の実施の形態】
以下、本発明の実施形態を図面により説明する。
図２は本発明の実施形態による情報提供システムを示す図であり、図３は図２における位置情報データベースを例示する図であり、図４は図２におけるフィルタリング情報データベースを例示する図であり、図５は図２におけるタイミング情報メモリを例示する図であり、図６は本発明の実施形態による各種情報形式（その一）を例示する図であり、図７は本発明の実施形態による各種情報形式（その二）を例示する図であり、図８は本発明の実施形態による位置情報通知処理（ゾーン内移動機の位置情報）を示す図であり、図９は本発明（第２の発明）の実施形態による位置情報通知処理（情報提供要求装置の位置情報）を示す図であり、図１０は本発明（第１乃至３の発明）の実施形態による主制御処理を示す図であり、図１１は本発明（第４乃至７の発明）の実施形態による主制御処理を示す図であり、図１２は本発明（第１の発明）の実施形態による情報提供受付処理を示す図であり、図１３は本発明（第２の発明）の実施形態による情報提供受付処理を示す図であり、図１４は本発明（第３の発明）の実施形態による情報提供受付処理を示す図であり、図１５は本発明の実施形態による情報送信処理を示す図であり、図１６は本発明の実施形態による位置情報問合せ処理（ゾーン内移動機の位置情報）を示す図であり、図１７は本発明（第２の発明）の実施形態による位置情報問合せ処理（情報提供要求装置の位置情報）を示す図であり、図１８は本発明（第４乃至６の発明）の実施形態による検索処理を示す図であり、図１９は本発明（第７の発明）の実施形態による検索処理を示す図であり、図２０は本発明（第４乃至６の発明）の実施形態によるサービス利用処理を示す図であり、図２１は本発明（第７の発明）の実施形態によるサービス利用処理を示す図であり、図２２は本発明（第２の発明）の実施形態による特定区域解析処理を示す図であり、図２３は本発明（第３の発明）の実施形態によるタイミング処理を示す図であり、図２４は本発明（第１の発明）の実施形態によるサービス情報配送シーケンスを示す図であり、図２５は本発明（第２の発明）の実施形態によるサービス情報配送シーケンスを示す図であり、図２６は本発明（第３の発明）の実施形態によるサービス情報配送シーケンスを示す図であり、図２７は本発明（第４の発明）の実施形態によるサービス情報配送シーケンスを示す図であり、図２８は本発明（第５の発明）の実施形態によるサービス情報配送シーケンスを示す図であり、図２９は本発明（第６の発明）の実施形態によるサービス情報配送シーケンスを示す図であり、図３０は本発明（第７の発明）の実施形態によるサービス情報配送シーケンスを示す図である。なお、全図を通じて同一符号は同一対象物を示す。
【００１６】
図２において、１は移動機〔個々の移動機を１ｉ　と称する（但しｉは１以上の整数、以下同様）〕、２は無線基地局２〔個々の無線基地局を２ｊ　と称する〕、３は位置情報管理装置、４は情報サービス提供装置、５は自分が提供する情報を移動機へ配信するように情報サービス提供装置４に依頼する情報提供要求装置〔個々の情報提供要求装置を１ｘ　と称する〕、６はネットワークである。
【００１７】
無線基地局２ｊ　、位置情報管理装置３、情報サービス提供装置４および情報提供要求装置５は、ネットワーク６に収容されており、また各移動機１ｉ　は、無線基地局２ｊ　を経由してネットワーク６に収容されている。
【００１８】
各無線基地局２ｊ　は、公知の如く、それぞれ固有の通信圏〔以後ゾーン（Ｚｊ　）と称する〕を形成しており、各自のゾーン（Ｚｊ　）内に現存する移動機１ｉ　との間に無線回線を設定し、ネットワーク６に収容可能としている。
【００１９】
ネットワーク６は、収容する各装置からの要求に基づき、所望の装置間に通信路を設定する、公知の汎用通信網の機能を具備すると共に、発着両装置間に通信路を設定した時点で、発信装置の識別子（例えばネットワーク６により付与されている電話番号）を着信装置に転送する、所謂発信者番号通知機能を具備しているものとする。
【００２０】
またネットワーク６は、収容する移動機１ｉ　に対する呼処理を実行する為に、移動体通信網の機能も具備する。
位置情報管理装置３内には、図３に示される如き位置情報データベース３１が設けられており、収容各移動機１ｉ　（移動機識別子Ｓｌｉ）　の現存位置を、各無線基地局２ｊ　のゾーン（Ｚｊ　）を単位として示す位置情報〔以後ゾーン識別子（ＳＺｊ）と称する〕を公知の移動体通信網におけると同様の手法で収集して一括管理しているとともに、情報提供要求装置　５（ｋ）（識別子Ｓ５ｋ）　に関するゾーン情報類（ＤＺｊ）〔ゾーン識別子（ＳＺｊ）、基地局番号（ＤＮ２ｊ）、基地局位置情報（Ｌ２ｊ）から構成される〕を管理している。そしてこの位置情報管理装置３は図８および図９に示される如き位置情報通知処理を実行する。
【００２１】
また情報サービス提供装置４には、それぞれ図１０および図１１に示される如き処理を実行する主制御部４１と、図１２乃至図１４に示される如き処理を実行する情報提供受付部４２と、図１６および図１７に示される如き処理を実行する位置情報問合せ部４３と、図１５に示される如き処理を実行する情報送信部４４、図１８および図１９に示される如き処理を実行する検索処理部４５と、図２０および図２１に示される如き処理を実行するサービス利用処理部４６と、図２２に示される如き処理を実行する特定区域解析部４７と、図２３に示される如き処理を実行するタイミング処理部４８と、図４に示される如き構成を有するフィルタリング情報データベース４Ａと、図５に示される如き構成を有するタイミング情報メモリ４Ｂとが設けられている。
【００２２】
なお、図１における位置情報問合せ手段４０１の役割は位置情報問合せ部４３および特定区域解析部４７が果たし、また図１におけるサービス情報配送手段４０２の役割は情報送信部４４および検索処理部４５が果たし、また図１における配送タイミング制御手段４０３の役割はタイミング処理部４８およびタイミング情報メモリ４Ｂが果たし、また図１における利用者登録手段４０４の役割はサービス利用処理部４６およびフィルタリング情報データベース４Ａが果たす。
【００２３】
フィルタリング情報データベース４Ａには、図４に示される如く、当該情報提供システムの提供するサービス利用を登録した各移動機１ｉ　の属性を示す移動機情報類（Ｄ１ｉ）の格納領域が、各移動機識別子（Ｓ１ｉ）に対応して確保され、またタイミング情報メモリ４Ｂには、図５に示される如く、情報提供要求装置５から送信される提供情報類（ＤＳＰ）が、後述の処理過程において格納される。
【００２４】
最初に、本発明（第１の発明）の実施形態によるサービス情報の配送処理を、図２、図３、図６、図７、図８、図１０、図１２、図１５、図１６および図２４を用いて説明する。
【００２５】
本発明（第１の発明）の実施形態においては、情報サービス提供装置４内に設けられた各部の内、主制御部４１、情報提供受付部４２、位置情報問合せ部４３および情報送信部４４のみが有効に機能する。
【００２６】
図２、図３、図６、図７、図８、図１０、図１２、図１５、図１６および図２４において、情報提供要求装置５ｋ　が、所要のメッセージ情報（Ｍｅ　）を特定のゾーン（Ｚｊ　）に在圏する移動機１ｉ　に提供を希望する場合に、提供対象メッセージ情報（Ｍｅ　）を含むサービス情報（ＳＶＶ　）と、提供対象ゾーン（Ｚｊ　）を指定するゾーン識別子（ＳＺｊ）とを含む提供要求情報（ＲＱ５Ａ）〔図６（ｂ１　）　参照〕を作成する。
【００２７】
以後、サービス情報（ＳＶＶ　）とゾーン識別子（ＳＺｊ）とを含む提供要求情報（ＲＱ５Ａ）を、〔ＲＱ５Ａ（ＳＶＶ　、ＳＺｊ）〕と表する。
情報提供要求装置５ｋ　は、以上の如き提供要求情報〔ＲＱ５Ａ（ＳＶＶ　、ＳＺｊ）〕を作成した後、公知の手順に基づき発呼し、ネットワーク６に情報サービス提供装置４との間に通信路の設定を要求する呼定要求情報（ＳＥＴＵＰ）を送信すると、ネットワーク６は、発呼情報提供要求装置５ｋ　と情報サービス提供装置４との間に通信路を設定した後、発呼情報提供要求装置５ｋ　から送出された呼設定要求情報（ＳＥＴＵＰ）を、情報サービス提供装置４に転送する。
【００２８】
なお呼設定要求情報（ＳＥＴＵＰ）には、着呼情報サービス提供装置４の装置識別子（Ｓ４　）〔例えば情報サービス提供装置４に付与されている電話番号（ＤＮ４　）〕と、発呼情報提供要求装置５ｋ　の装置識別子（Ｓ５ｋ）〔例えば情報提供要求装置５ｋ　に付与されている電話番号（ＤＮ５ｋ）で、以後要求装置識別子（Ｓ５ｋ）と称する〕とが含まれている。
【００２９】
情報サービス提供装置４においては、情報提供受付部４２が、ネットワーク６から転送される呼設定要求情報（ＳＥＴＵＰ）を受信・分析し、情報提供要求装置５ｋ　からの通信路設定要求と識別すると、ネットワーク６が設定する通信路を経由する情報の送受信状態を確立すると共に、要求装置識別子（Ｓ５ｋ）を取得・保持する〔図１２、ステップＳ５１〕。
【００３０】
情報提供要求装置５ｋ　は、情報サービス提供装置４との間に通信路が設定されると、作成した提供要求情報〔ＲＱ５Ａ（ＳＶＶ　、ＳＺｊ）〕を、通信路を経由して情報サービス提供装置４に送信する。
【００３１】
情報サービス提供装置４においては、情報提供受付部４２が、情報提供要求装置５から送信された提供要求情報〔ＲＱ５Ａ（ＳＶＶ　、ＳＺｊ）〕を受信すると〔図１２、ステップＳ５２〕、サービス情報（ＳＶＶ　）と、ゾーン識別子（ＳＺｊ）とを抽出し、主制御部４１に伝達する〔図１２、ステップＳ５３〕。
【００３２】
主制御部４１は、情報提供受付部４２から伝達されたサービス情報（ＳＶＶ　）とゾーン識別子（ＳＺｊ）とを受信すると〔図１０、ステップＳ３１〕、サービス情報（ＳＶＶ　）を保持すると共に、ゾーン識別子（ＳＺｊ）により指定されるゾーン（Ｚｊ　）に在圏する移動機１ｉ　〔以後ゾーン内移動機識別子セット（ＳＳ１Ｚ）と称する〕を認識する為に、情報提供受付部４２から伝達されたゾーン識別子（ＳＺｊ）を位置情報問合せ部４３に伝達し、対応するゾーン内移動機識別子セット（ＳＳ１Ｚ）を要求する〔図１０、ステップＳ３２〕。
【００３３】
位置情報問合せ部４３は、主制御部４１からゾーン識別子（ＳＺｊ）と、対応するゾーン内移動機識別子セット（ＳＳ１Ｚ）の要求とを受信すると〔図１６、ステップＳ９１〕、ゾーン識別子（ＳＺｊ）により指定されるゾーン（Ｚｊ　）に在圏する移動機１ｉ　を、位置情報管理装置３に問合せる為に、ゾーン識別子（ＳＺｊ）を含む位置情報問合せ要求情報〔ＲＱ４３Ａ　（ＳＺｊ）〕〔図６（ｃ）　参照〕を作成した後、前述と同様の過程で、ネットワーク６に対して位置情報管理装置３との間に通信路の設定要求を行った後〔図１６、ステップＳ９２〕、作成した位置情報問合せ要求情報〔ＲＱ４３Ａ　（ＳＺｊ）〕を、設定済の通信路を経由して位置情報管理装置３に送信し、位置情報管理装置３からの回答を待機する〔図１６、ステップＳ９３〕。
【００３４】
位置情報管理装置３は、ネットワーク６からの通信路設定要求を受付けた後〔図８、ステップＳ１１〕、情報サービス提供装置４から送信された位置情報問合せ要求情報〔ＲＱ４３Ａ　（ＳＺｊ）〕を受信・分析し、ゾーン識別子（ＳＺｊ）に対応するゾーン（Ｚｊ　）に在圏中の移動機１ｉ　の問合せと識別すると〔図８、ステップＳ１２〕、位置情報データベース３１を参照し、位置情報問合せ要求情報〔ＲＱ４３Ａ　（ＳＺｊ）〕から抽出したゾーン識別子（ＳＺｊ）に対応して格納済の移動機識別子（Ｓ１ｉ）を検索し、検出した総ての移動機識別子（Ｓ１ｉ）によりゾーン内移動機識別子セット（ＳＳ１Ｚ）を構成し〔図８、ステップＳ１３〕、受信した位置情報問合せ要求情報〔図８、ステップＳ１３〕、受信した位置情報問合せ要求情報（ＲＱ４３Ａ　（ＳＺｊ）〕に、構成したゾーン内移動機識別子セット（ＳＳ１Ｚ）を付加してゾーン内移動機通知応答情報〔ＡＳ４３Ａ　（ＳＺｊ、ＳＳ１Ｚ）〕〔図６（ｄ）　参照〕を作成し、設定済の通信路を経由して情報サービス提供装置４に返送する〔図８、ステップＳ１４〕。
【００３５】
情報サービス提供装置４においては、位置情報問合せ部４３が、位置情報管理装置３から返送されたゾーン内移動機通知応答情報〔ＡＳ４３Ａ　（ＳＺｊ、ＳＳ１Ｚ）〕を受信すると〔図１６、ステップＳ９４〕、ゾーン内移動機通知応答情報〔ＡＳ４３Ａ　（ＳＺｊ、ＳＳ１Ｚ）〕からゾーン内移動機識別子セット（ＳＳ１Ｚ）を抽出し、主制御部４１へ返送する〔図１６、ステップＳ９５〕。
【００３６】
主制御部４１は、位置情報問合せ部４３から返送されたゾーン内移動機識別子セット（ＳＳ１Ｚ）を受信すると〔図１０、ステップＳ３３〕、受信したゾーン内移動機識別子セット（ＳＳ１Ｚ）を配送対象移動機識別子セット（ＳＳ１ＳＰＡ）とし、情報提供受付部４２から受信・保持中のサービス情報（ＳＶＶ　）と共に、情報送信部４４に伝達する〔図１０、ステップＳ３４〕。
【００３７】
情報送信部４４は、主制御部４１から伝達された配送対象移動機識別子セット（ＳＳ１ＳＰＡ）と、サービス情報（ＳＶＶ　）とを受信すると〔図１５、ステップＳ８１〕、配送対象移動機識別子セット（ＳＳ１ＳＰＡ）を構成する各移動機識別子（Ｓ１ｉ）を一つ宛抽出し〔図１５、ステップＳ８２〕、下記の処理を順次実行する〔図１５、ステップＳ８３およびＳ８４〕。
【００３８】
即ち情報送信部４４は、前述と同様の手順により、移動機識別子（Ｓ１ｉ）により指定される移動機１ｉ　に対する通信路を設定を、ネットワーク６に要求し〔図１５、ステップＳ８３〕、ネットワーク６および無線基地局２ｊ　を経由して移動機識別子（Ｓ１ｉ）との間に通信路が設定されると、保持中のサービス情報（ＳＶＶ　）を、設定済の通信路を経由して移動機１ｉ　に送信する〔図１５、ステップＳ８４〕。
【００３９】
情報送信部４４が、以上の送信処理を、配送対象移動機識別子セット（ＳＳ１ＳＰＡ）内の総ての移動機１ｉ　に対して実行し終わると〔図１５、ステップＳ８５〕、情報サービス提供装置４は、情報提供要求装置５ｋ　から伝達されたサービス情報（ＳＶＶ　）を、ゾーン識別子（ＳＺｊ）により指定されたゾーン（Ｚｊ　）に在圏する総ての移動機１ｉ　に配送し終えたこととなる〔図１５、ステップＳ８６〕。
【００４０】
以上により、情報提供システムは、情報提供要求装置５ｋ　が作成したサービス情報（ＳＶＶ　）を、情報提供要求装置５ｋ　がゾーン識別子（ＳＺｊ）により指定したゾーン（Ｚｊ　）に在圏する総ての移動機１ｉ　に提供したこととなる。
【００４１】
次に、本発明（第２の発明）の実施形態によるサービス情報の配送処理を、図２、図３、図６、図７、図８、図９、図１０、図１３、図１５、図１６、図１７、図２２および図２５を用いて説明する。
【００４２】
本発明（第２の発明）の実施形態においては、情報サービス提供装置４内に設けられた各部の内、主制御部４１、情報提供受付部４２、位置情報問合せ部４３、情報送信部４４および特定区域解析部４７のみが有効に機能する。
【００４３】
図２、図３、図６、図７、図８、図９、図１０、図１３、図１５、図１６、図１７、図２２および図２５において、情報提供要求装置５ｋ　が、所要のサービス情報（ＳＶＶ　）を、自装置５ｋ　が設置されているゾーン（Ｚｊ　）に在圏する移動機１ｉ　に提供を希望する場合に、提供対象サービス情報（ＳＶＶ　）のみを含み、提供対象ゾーン（Ｚｊ　）を指定するゾーン識別子（ＳＺｊ）を含まぬ提供要求情報〔ＲＱ５Ｂ（ＳＶＶ　）〕〔図６（ｂ２　）参照〕を作成した後、前述と同様の過程で、ネットワーク６に対して情報サービス提供装置４との間に通信路の設定要求を行った後、作成した提供要求情報〔ＲＱ５Ｂ（ＳＶＶ　）〕を、設定された通信路を経由して情報サービス提供装置４に送信する。
【００４４】
情報サービス提供装置４においては、情報提供受付部４２が、ネットワーク６からの通信路設定要求を受付け、発呼情報提供要求装置５ｋ　の要求装置識別子（Ｓ５ｋ）を取得した後〔図１３、ステップＳ６１〕、情報提供要求装置５から送信された提供要求情報〔ＲＱ５Ｂ（ＳＶＶ　）〕を受信すると〔図１３、ステップＳ６２〕、受信した提供要求情報〔ＲＱ５Ｂ（ＳＶＶ　）〕と、通信路設定時に取得済の要求装置識別子（Ｓ５ｋ）とを特定区域解析部４７に伝達し、特定区域解析部４７からゾーン識別子（ＳＺｊ）を含む提供要求情報〔ＲＱ５Ａ（ＳＶＶ　、ＳＺｊ）〕が返送されるのを待機する〔図１３、ステップＳ６３〕。
【００４５】
特定区域解析部４７は、情報提供受付部４２から提供要求情報（ＲＱ５　）および要求装置識別子（Ｓ５ｋ）を受信すると〔図２２、ステップＳＦ１〕、受信した提供要求情報（ＲＱ５　）に、ゾーン識別子（ＳＺｊ）が含まれているか否か、即ち提供要求情報〔ＲＱ５Ａ（ＳＶＶ　、ＳＺｊ）〕であるか、または提供要求情報〔ＲＱ５Ｂ（ＳＶＶ　）〕であるかを分析し、ゾーン識別子（ＳＺｊ）が含まれている場合には〔図２２、ステップＳＦ３〕、受信した提供要求情報（ＲＱ５　）は提供要求情報〔ＲＱ５Ａ（ＳＶＶ　、ＳＺｊ）〕であると判定し、直ちに情報提供受付部４２に返送するが〔図２２、ステップＳＦ７〕、今回は、受信した提供要求情報（ＲＱ５　）に、ゾーン識別子（ＳＺｊ）が含まれぬことを識別すると〔図２２、ステップＳＦ３〕、受信した提供要求情報（ＲＱ５　）は提供要求情報〔ＲＱ５Ｂ（ＳＶＶ　）〕であり、情報提供要求装置５ｋ　の在圏ゾーン（Ｚｊ　）を、サービス情報（ＳＶＶ　）の配送対象ゾーン（Ｚｊ　）と判定し、情報提供要求装置５ｋ　の在圏ゾーン（Ｚｊ　）を解明する為に、情報提供受付部４２から伝達された要求装置識別子（Ｓ５ｋ）を位置情報問合せ部４３に伝達し、位置情報問合せ部４３から情報提供要求装置５ｋ　の在圏ゾーン（Ｚｊ　）を含むゾーン情報類（ＤＺｊ）の返送を待機する〔図２２、ステップＳＦ４〕。
【００４６】
位置情報問合せ部４３は、特定区域解析部４７から要求装置識別子（Ｓ５ｋ）と、対応するゾーン情報類（ＤＺｊ）の要求とを受信すると〔図１７、ステップＳＡ１〕、要求装置識別子（Ｓ５ｋ）に対応するゾーン情報類（ＤＺｊ）を位置情報管理装置３に問合せる為に、要求装置識別子（Ｓ５ｋ）を含むゾーン情報問合せ要求情報〔ＲＱ４３Ｂ　（Ｓ５ｋ）〕〔図７（ｅ）　参照〕を作成した後、前述と同様の過程で、ネットワーク６に対して位置情報管理装置３との間に通信路の設定要求を行った後、作成したゾーン情報問合せ要求情報〔ＲＱ４３Ｂ　（Ｓ５ｋ）〕を、設定済の通信路を経由して位置情報管理装置３に送信する。
【００４７】
位置情報管理装置３は、ネットワーク６からの通信路設定要求を受付けた後〔図９、ステップＳ２１〕、情報サービス提供装置４から送信されたゾーン情報問合せ要求情報〔ＲＱ４３Ｂ　（Ｓ５ｋ）〕を受信・分析し、要求装置識別子（Ｓ５ｋ）により指定される情報提供要求装置５ｋ　の在圏ゾーン（Ｚｊ　）に関するゾーン情報類（ＤＺｊ）の問合せと識別すると〔図９、ステップＳ２２〕、位置情報データベース３１を参照し、ゾーン情報問合せ要求情報〔ＲＱ４３Ｂ　（Ｓ５ｋ）〕から抽出した要求装置識別子（Ｓ５ｋ）に対応して格納済のゾーン情報類（ＤＺｊ）〔ゾーン識別子（ＳＺｊ）、基地局番号（ＤＮ２ｊ）、基地局位置情報（Ｌ２ｊ）から構成される〕を検索して抽出し〔図９、ステップＳ２３〕、受信したゾーン情報問合せ要求情報〔ＲＱ４３Ｂ　（Ｓ５ｋ）〕に、抽出したゾーン情報類（ＤＺｊ）を付加してゾーン情報通知応答情報〔ＡＳ４３Ｂ　（Ｓ５ｋ、ＤＺｊ）〕〔図７（ｆ）　参照〕を作成し、設定済通信路を経由して情報サービス提供装置４に返送する〔図９、ステップＳ２４〕。
【００４８】
情報サービス提供装置４においては、位置情報問合せ部４３が、位置情報管理装置３から返送されたゾーン情報通知応答情報〔ＡＳ４３Ｂ　（Ｓ５ｋ、ＤＺｊ）〕を受信すると〔図１７、ステップＳＡ４〕、ゾーン情報通知応答情報〔ＡＳ４３Ｂ　（Ｓ５ｋ、ＤＺｊ）〕からゾーン情報類（ＤＺｊ）を抽出し、特定区域解析部４７に返送する〔図１７、ステップＳＡ５〕。
【００４９】
特定区域解析部４７は、位置情報問合せ部４３から返送されたゾーン情報類（ＤＺｊ）を受信すると〔図２２、ステップＳＦ５〕、ゾーン情報類（ＤＺｊ）から情報提供要求装置５ｋ　の在圏ゾーン（Ｚｊ　）を識別するゾーン識別子（ＳＺｊ）を抽出し、情報提供受付部４２から伝達された提供要求情報（ＲＱ５Ｂ）に付加して前述の本発明（第１の発明）の実施形態において、情報提供要求装置５ｋ　から送信されたと同様の提供要求情報〔ＲＱ５Ａ（ＳＶＶ　、ＳＺｊ）〕を作成し〔図２２、ステップＳＦ６〕、情報提供受付部４２に返送する〔図２２、ステップＳＦ７〕。
【００５０】
情報提供受付部４２が、ゾーン識別子（ＳＺｊ）を含む提供要求情報〔ＲＱ５Ａ（ＳＶＶ　、ＳＺｊ）〕を、特定区域解析部４７から返送されると、以後情報サービス提供装置４は、前述の本発明（第１の発明）の実施形態におけると同様の処理過程で、情報提供要求装置５ｋ　の在圏ゾーン（Ｚｊ　）に在圏する総ての移動機１ｉ　のゾーン内移動機識別子セット（Ｓ１１　Ｓ１ｎ）を取得した後、各移動機１ｉ　に対し、情報提供要求装置５ｋ　から伝達されたサービス情報（ＳＶＶ　）を配送する。
【００５１】
以上により、情報提供システムは、情報提供要求装置５ｋ　が作成したサービス情報（ＳＶＶ　）を、情報提供要求装置５ｋ　の在圏ゾーン（Ｚｊ　）に在圏する総ての移動機１ｉ　に提供したこととなる。
【００５２】
次に、本発明（第３の発明）の実施形態によるサービス情報の配送処理を、図２、図３、図５、図６、図７、図８、図１４、図１５、図１６、図２３および図２６を用いて説明する。
【００５３】
本発明（第３の発明）の実施形態においては、情報サービス提供装置４内に設けられた各部の内、主制御部４１、情報提供受付部４２、位置情報問合せ部４３、情報送信部４４、タイミング処理部４８およびタイミング情報メモリ４Ｂのみが有効に機能する。
【００５４】
図２、図３、図５、図６、図７、図８、図１４、図１５、図１６、図２３および図２６において、情報提供要求装置５ｋ　が、所要のサービス情報（ＳＶＶ　）を特定のゾーン（Ｚｊ　）に在圏する移動機１ｉ　に、即時では無く、所望の時期〔例えば所定時刻（以後、送信開始時刻（ｔＳ　）と称する）に配送する、または所定送信開始時刻（ｔＳ　）から所定間隔（以後、周期送信時間（ｐＳ　）と称する）で所定回数（ｎｓ　）繰返し配送する等〕に提供を希望する場合に、提供対象サービス情報（ＳＶＶ　）と、提供対象ゾーン識別子（ＳＺｊ）と、前述の所望の時期〔以後、送信時期を指定する情報を、タイミング情報類（Ｔｒ　）と総称する〕とを含む提供要求情報〔ＲＱ５Ｃ（ＳＶＶ　、ＳＺｊ、Ｔｒ　）〕〔図６（ｂ３　）参照〕を作成した後、前述と同様の過程で、ネットワーク６に対して情報サービス提供装置４との間に通信路の設定要求を行った後、作成した提供要求情報〔ＲＱ５Ｃ（ＳＶＶ　、ＳＺｊ、Ｔｒ　）〕を、設定された通信路を経由して情報サービス提供装置４に送信する。
【００５５】
情報サービス提供装置４においては、情報提供受付部４２が、ネットワーク６からの通信路設定要求を受付け、発呼情報提供要求装置５ｋ　の要求装置識別子（Ｓ５ｋ）を取得した後〔図１４、ステップＳ７１〕、情報提供要求装置５ｋ　から送信された提供要求情報〔ＲＱ５Ｃ（ＳＶＶ　、ＳＺｊ、Ｔｒ　）〕を受信すると〔図１４、ステップＳ７２〕、受信した提供要求情報〔ＲＱ５Ｃ（ＳＶＶ　、ＳＺｊ、Ｔｒ　）〕に、タイミング情報類（Ｔｒ　）が含まれているか否かを分析し〔図１４、ステップＳ７３〕、タイミング情報類（Ｔｒ　）が含まれていない場合には〔図１４、ステップＳ７４〕、受信した提供要求情報（ＲＱ５Ｃ）は提供要求情報〔ＲＱ５Ａ（ＳＶＶ　、ＳＺｊ）〕であると判定し、本発明（第１の発明）の実施形態におけると同様の過程で、直ちに受信した提供要求情報〔ＲＱ５Ａ（ＳＶＶ　、ＳＺｊ）〕からサービス情報（ＳＶＶ　）およびゾーン識別子（ＳＺｊ）を抽出して主制御部４１に伝達するが〔図１４、ステップＳ７５〕、今回は、受信した提供要求情報〔ＲＱ５Ｃ（ＳＶＶ　、ＳＺｊ、Ｔｒ　）〕にタイミング情報（Ｔｒ　）が含まれていることを識別すると〔図１４、ステップＳ７４〕、受信した提供要求情報〔ＲＱ５Ｃ（ＳＶＶ　、ＳＺｊ、Ｔｒ　）〕をタイミング処理部４８に伝達する〔図１４、ステップＳ７６〕。
【００５６】
タイミング処理部４８は、情報提供受付部４２から伝達された提供要求情報〔ＲＱ５Ｃ（ＳＶＶ　、ＳＺｊ、Ｔｒ　）〕を受信すると〔図２３、ステップＳＧ１〕、提供要求情報〔ＲＱ５Ｃ（ＳＶＶ　、ＳＺｊ、Ｔｒ　）〕からサービス情報（ＳＶＶ　）、ゾーン識別子（ＳＺｊ）およびタイミング情報（Ｔｒ　）を抽出し、提供情報類（ＤＳＰｑ　）としてタイミング情報メモリ４Ｂに格納する〔図２３、ステップＳＧ２〕。
【００５７】
なお情報サービス提供装置４に、タイミング情報（Ｔｒ　）を指定した複数の提供要求情報〔ＲＱ５Ｃ（ＳＶＶ　、ＳＺｊ、Ｔｒ　）〕が、並行して伝達された場合には、タイミング情報メモリ４Ｂには、複数の提供情報類（ＤＳＰｑ　）が並行して格納されることとなる。
【００５８】
タイミング処理部４８は、所定の監視周期でタイミング情報メモリ４Ｂを参照し〔図２３、ステップＳＧ３およびＳＧ４〕、タイミング情報メモリ４Ｂ内に提供情報類（ＤＳＰｑ　）が格納されているか否かを監視し〔図２３、ステップＳ５〕、提供情報類（ＤＳＰｑ　）が格納されている場合には、格納済の提供情報類（ＤＳＰｑ　）を一つ宛順次抽出し〔図２３、ステップＳＧ６〕、抽出した提供情報類（ＤＳＰｑ　）に含まれるタイミング情報類（Ｔｒ　）を、下記の手順で監視する。
【００５９】
即ちタイミング処理部４８は、タイミング情報類（Ｔｒ　）に含まれる送信開始時刻（ｔＳ　）を現在時刻（ｔＰ　）と比較し〔図２３、ステップＳＧ７〕、送信開始時刻（ｔＳ　）が現在時刻（ｔＰ　）に達していなければ〔図２３、ステップＳＧ８〕、抽出した提供情報類（ＤＳＰｑ　）は未だ所望の送信開始時刻（ｔＳ　）に達していないと判定し、抽出した提供情報類（ＤＳＰｑ　）を再びタイミング情報メモリ４Ｂに格納し〔図２３、ステップＳＧＤ〕、次の提供情報類（ＤＳＰｑ　）を抽出するが〔図２３、ステップＳＧＦおよびＳＧ６〕、送信開始時刻（ｔＳ　）が現在時刻（ｔＰ　）を経過していれば〔図２３、ステップＳＧ８〕、抽出した提供情報類（ＤＳＰｑ　）は所望の送信開始時刻（ｔＳ　）に達していると判定し、提供情報類（ＤＳＰｑ　）からサービス情報（ＳＶＶ　）およびゾーン識別子（ＳＺｊ）を抽出し、主制御部４１へ伝達する〔図２３、ステップＳＧ９〕。
【００６０】
続いてタイミング処理部４８は、タイミング情報類（Ｔｒ　）から送信回数（ｎＳ　）を抽出して（ｎ　１）に更新した後〔図２３、ステップＳＧＡ〕、送信回数（ｎＳ　≦０）で有るか否かを分析し、送信回数（ｎＳ　≦０）の場合には〔図２３、ステップＳＧＢ〕、サービス情報（ＳＶＶ　）を指定された送信回数（ｎＳ　）だけ配送処理を実行すると判定し、抽出した提供情報類（ＤＳＰｑ　）はタイミング情報メモリ４Ｂから抹消するが〔図２３、ステップＳＧＥ〕、送信回数（ｎＳ　＞０）の場合には〔図２３、ステップＳＧＢ〕、サービス情報（ＳＶＶ　）を指定された送信回数（ｎＳ　）だけ配送処理を未実行と判定し、タイミング情報類（Ｔｒ　）から周期送信時間（ｐＳ　）を抽出し、送信開始時刻（ｔＳ　）を（ｔｓ　＋ｐｓ　）に更新した後、送信回数（ｎＳ　）および送信開始時刻（ｔＳ　）を更新済のタイミング情報類（Ｔｒ　）を含む提供情報類（ＤＳＰｑ　）を、再びタイミング情報メモリ４Ｂに格納した後〔図２３、ステップＳＧＤ〕、次の提供情報類（ＤＳＰｑ　）を抽出する〔図２３、ステップＳＧＦおよびＳＧ６〕。
【００６１】
タイミング処理部４８は、以上の監視過程を、参照時期にタイミング情報メモリ４Ｂに格納中の総ての提供情報類（ＤＳＰｑ　）に対して実行する〔図２３、ステップＳＧＦ〕。
【００６２】
一方、主制御部４１が、タイミング処理部４８から伝達されたサービス情報（ＳＶＶ　）とゾーン識別子（ＳＺｊ）とを受信すると、以後情報サービス提供装置４は、前述の本発明（第１の発明）の実施形態におけると同様の処理過程で、ゾーン識別子（ＳＺｊ）により定まるゾーン（Ｚｊ　）に在圏するゾーン内移動機識別子セット（ＳＳ１Ｚ）を取得した後、各移動機１ｉ　に対し、情報提供要求装置５ｋ　から伝達されたサービス情報（ＳＶＶ　）を配送する。
【００６３】
以上により、情報提供システムは、情報提供要求装置５ｋ　が作成したサービス情報（ＳＶＶ　）を、情報提供要求装置５ｋ　の指定したゾーン（Ｚｊ　）に在圏する総ての移動機１ｉ　に、タイミング情報類（Ｔｒ　）により指定した送信開始時刻（ｔＳ　）から、指定した送信回数（ｎＳ　）だけ、指定した周期送信時間（ｐＳ　）毎に提供したこととなる。
【００６４】
前述の本発明（第１、２および３の発明）の各実施形態は、情報提供要求装置５ｋ　がゾーン識別子（ＳＺｊ）により指定するゾーン（Ｚｊ　）または無指定により自装置の在圏ゾーン（Ｚｊ　）に在圏する総ての移動機１ｉ　を対象として、所望のサービス情報（ＳＶＶ　）の配送を要求していたが、一方、移動機１ｉ　の利用者にも、情報提供要求装置５ｋ　から提供されるサービス情報（ＳＶＶ　）に対し、利用の要否、或いはジャンル（Ｇｘ　）を指定してサービス情報（ＳＶＶ　）の利用を希望する要望が生ずる。
【００６５】
以下に述べる本発明（第４乃至７の発明）の各実施形態は、当該情報提供システムが提供するサービスの利用に対し、移動機１ｉ　側の要求を加味したものである。
【００６６】
なお以後の説明においては、情報提供要求装置５ｋ　が、本発明（第１の発明）の実施形態による提供要求情報〔ＲＱ５Ａ（ＳＶＶ　、ＳＺｊ）〕により、情報サービス提供装置４にサービス情報（ＳＶＶ　）の提供を要求するものとする。
【００６７】
先ず、本発明（第４の発明）の実施形態によるサービス情報の配送処理を、図２、図３、図４、図６、図７、図８、図１１、図１２、図１５、図１６、図１８、図２０および図２７を用いて説明する。
【００６８】
本発明（第４の発明）の実施形態においては、情報サービス提供装置４内に設けられた各部の内、主制御部４１、情報提供受付部４２、位置情報問合せ部４３、情報送信部４４、サービス利用処理部４６、検索処理部４５およびフィルタリング情報データベース４Ａのみが有効に機能する。
【００６９】
図２、図３、図４、図６、図７、図８、図１１、図１２、図１５、図１６、図１８、図２０および図２７において、当該情報提供システムが提供するサービスの利用を希望する移動機１ａ　は、サービス利用フラグ（ＦＵｙ）を含むサービス利用要求情報〔ＲＱ１Ａａ　（ＦＵｙ）〕〔図６（ａ１　）参照〕を作成する。
【００７０】
なおサービス利用フラグ（ＦＵｙ）は、本発明（第４乃至６の発明）の実施形態で紹介される如く、目的に応じて数字（０）乃至（３）の四種類に設定され、サービス利用フラグ（ＦＵｙ＝０）を含むサービス利用要求情報〔ＲＱ１Ａｉ　（ＦＵｙ＝０）〕は、情報提供システムの提供するサービスの利用登録要求であることを示し、またサービス利用フラグ（ＦＵｙ＝１）を含むサービス利用要求情報〔ＲＱ１Ａｉ　（ＦＵｙ＝１）〕は、登録済サービスの利用一時停止要求であることを示し、またサービス利用フラグ（ＦＵｙ＝２）を含むサービス利用要求情報〔ＲＱ１Ａｉ　（ＦＵｙ＝２）〕は、サービス利用登録済移動機１ｉ　の利用開始要求、または登録済且つ利用一時停止中の移動機１ｉ　の利用停止解除要求であることを示し、更にサービス利用フラグ（ＦＵｙ＝３）を含むサービス利用要求情報〔ＲＱ１Ａｉ　（ＦＵｙ＝３）〕は、サービス利用登録済移動機１ｉ　の登録抹消要求であることを示す。
【００７１】
移動機１ａ　は、（０）に設定されたサービス利用フラグ（ＦＵｙ＝０）を含むサービス利用要求情報〔ＲＱ１Ａａ　（ＦＵｙ＝０）〕を作成した後、公知の呼設定手順に基づき、在圏ゾーン（Ｚｊ　）を形成する無線基地局２ｊ　を経由してネットワーク６に、移動機１ａ　と情報サービス提供装置４との間に通信路の設定要求を行った後、作成したサービス利用要求情報〔ＲＱ１Ａａ　（ＦＵｙ）〕を、設定された通信路を経由して情報サービス提供装置４に送信する。
【００７２】
情報サービス提供装置４においては、サービス利用処理部４６が、ネットワーク６からの通信路設定要求を受付け、発呼移動機１ａ　の移動機識別子（Ｓ１ａ）を取得した後〔図２０、ステップＳＤ１〕、移動機１ａ　から送信されたサービス利用要求情報〔ＲＱ１Ａａ　（ＦＵｙ＝０）〕を受信すると〔図２０、ステップＳＤ２〕、サービス利用要求情報〔ＲＱ１Ａａ　（ＦＵｙ＝０）〕からサービス利用フラグ（ＦＵｙ）を抽出して分析し〔図２０、ステップＳＤ３〕、（０）に設定されたサービス利用フラグ（ＦＵｙ＝０）であることを識別すると〔図２０、ステップＳＤ４〕、図４に示される如きフィルタリング情報データベース４Ａを参照し、移動機識別子（Ｓ１ａ）に対応する移動機情報類（Ｄ１ａ）の格納領域〔以後、移動機情報類（Ｄ１ｉ）の格納領域を単に移動機情報類（Ｄ１ｉ）と称する〕を確保した後、サービス利用未開始状態に設定したサービス利用情報（ＤＳＵａ　）〔例えばサービス利用情報（ＤＳＵａ　＝０）〕を作成し、確保済の移動機情報類（Ｄ１ａ）に格納する〔図２０、ステップＳＤ５〕。
【００７３】
フィルタリング情報データベース４Ａ内に、移動機識別子（Ｓ１ａ）に対応する移動機情報（Ｄ１ａ）が確保されたことにより、移動機１ａ　は、情報提供システムに対するサービス利用の登録が完了したこととなるが、移動機情報類（Ｄ１ａ）内のサービス利用情報（ＤＳＵａ　）が（０）に設定されている為、サービスを実際に利用可能な状態にはなっていない。
【００７４】
かかる状態で、情報提供要求装置５ｋ　が、所要のメッセージ情報（Ｍｅ　）を特定のゾーン（Ｚｊ　）に在圏する移動機１ｉ　に提供を希望する場合に、提供対象メッセージ情報（Ｍｅ　）を含むサービス情報（ＳＶＶ　）と、提供対象ゾーン（Ｚｊ　）を指定するゾーン識別子（ＳＺｊ）とを含む提供要求情報〔ＲＱ５Ａ（ＳＶＶ　、ＳＺｊ）〕を作成した後、前述と同様の過程で、ネットワーク６に対して情報サービス提供装置４との間に通信路の設定要求を行った後、作成した提供要求情報〔ＲＱ５Ａ（ＳＶＶ　、ＳＺｊ）〕を、設定された通信路を経由して情報サービス提供装置４に送信する。
【００７５】
情報サービス提供装置４においては、情報提供受付部４２が、ネットワーク６からの通信路設定要求を受付けた後、情報提供要求装置５ｋ　から送信された提供要求情報〔ＲＱ５Ａ（ＳＶＶ　、ＳＺｊ）〕を受信すると、前述の図１２、ステップＳ５１乃至Ｓ５３に示される処理過程で、サービス情報（ＳＶＶ　）と、ゾーン識別子（ＳＺｊ）とを抽出し、主制御部４１に伝達する。
【００７６】
主制御部４１は、情報提供受付部４２から伝達されたサービス情報（ＳＶＶ　）とゾーン識別子（ＳＺｊ）とを受信すると〔図１１、ステップＳ４１〕、前述の図１０、ステップＳ３１およびＳ３２におけると同様に、サービス情報（ＳＶＶ　）を保持すると共に、ゾーン識別子（ＳＺｊ）により指定されるゾーン（Ｚｊ　）に在圏するゾーン内移動機識別子セット（ＳＳ１Ｚ）を位置情報問合せ部４３に要求する〔図１１、ステップＳ４２〕。
【００７７】
位置情報問合せ部４３は、前述の図１６、ステップＳ９１乃至Ｓ９５に示される処理過程により、主制御部４１から伝達されたゾーン識別子（ＳＺｊ）に対応するゾーン内移動機識別子セット（ＳＳ１Ｚ）を位置情報管理装置３に要求し、位置情報管理装置３が、前述の図８、ステップＳ１１乃至Ｓ１４に示される処理過程により、ゾーン内移動機識別子セット（ＳＳ１Ｚ）を位置情報問合せ部４３に返送すると、位置情報問合せ部４３は、受信したゾーン内移動機識別子セット（ＳＳ１Ｚ）を、主制御部４１に返送する。
【００７８】
なお、前述の移動機１ａ　に対応する移動機識別子（Ｓ１ａ）は、ゾーン内移動機識別子セット（ＳＳ１Ｚ）に含まれているものとする。
主制御部４１は、位置情報問合せ部４３から所望のゾーン内移動機識別子セット（ＳＳ１Ｚ）を、位置情報問合せ部４３から受信すると〔図１１、ステップＳ４３〕、続いて、情報提供受付部４２から受信・保持中のサービス情報（ＳＶＶ　）と、位置情報問合せ部４３から返送されたゾーン内移動機識別子セット（ＳＳ１Ｚ）とを検索処理部４５に伝達し、ゾーン内移動機識別子セット（ＳＳ１Ｚ）内で真にサービス情報（ＳＶＶ　）の配送対象となる配送対象移動機識別子セット（ＳＳ１ＳＰＡ）を要求する〔図１１、ステップＳ４４〕。
【００７９】
検索処理部４５は、サービス情報（ＳＶＶ　）と、ゾーン内移動機識別子セット（ＳＳ１Ｚ）と、対応する配送対象移動機識別子セット（ＳＳ１ＳＰＡ）の要求とを受信すると〔図１８、ステップＳＢ１〕、受信したゾーン内移動機識別子セット（ＳＳ１Ｚ）を構成する各移動機識別子（Ｓ１ｉ）を一つ宛順次抽出し〔図１８、ステップＳＢ２〕、配送対象移動機識別子セット（ＳＳ１ＳＰＡ）の構成要素を、図１８、ステップＳＢ３乃至ＳＢ９に示される手順で検索する。
【００８０】
先ず検索処理部４５は、フィルタリング情報データベース４Ａを参照し、抽出した移動機識別子（Ｓ１ｉ）に対応する移動機情報（Ｄ１ｉ）が確保済か否かを検索し〔図１８、ステップＳＢ３およびＳＢ４〕、対応する移動機情報類（Ｄ１ｉ）が検出不能の場合には、当該移動機識別子（Ｓ１ｉ）に対応する移動機１ｉ　はサービス利用未登録と判定し、配送対象から除外する〔図１８、ステップＳＢ８〕。
【００８１】
また検索の結果、移動機情報（Ｄ１ｉ）に対応する移動機情報類（Ｄ１ｉ）が検出された場合には〔図１８、ステップＳＢ４〕、当該移動機識別子（Ｓ１ｉ）に対応する移動機１ｉ　はサービス利用登録済と判定し、続いて移動機情報（Ｄ１ｉ）内に格納済のサービス利用情報（ＤＳＵｉ　）を抽出し、設定状態を分析する〔図１８、ステップＳＢ５〕。
【００８２】
分析の結果、サービス利用情報（ＤＳＵｉ　）が利用不能状態〔ＤＳＵｉ　＝０〕に設定されている場合には〔図１８、ステップＳＢ６〕、当該移動機識別子（Ｓ１ｉ）に対応する移動機１ｉ　はサービス利用不能状態にあると判定し、配送対象から除外する〔図１８、ステップＳＢ８〕。
【００８３】
また分析の結果、サービス利用情報（ＤＳＵｉ　）が利用可能状態〔ＤＳＵｉ　＝１〕に設定されている場合には〔図１８、ステップＳＢ６〕、当該移動機識別子（Ｓ１ｉ）に対応する移動機１ｉ　はサービス利用可能状態に設定済と判定し、配送対象として選出する〔図１８、ステップＳＢ７〕。
【００８４】
なお前述の移動機１ａ　は、サービス利用情報（ＤＳＵｉ　）が利用不能状態〔ＤＳＵｉ　＝０〕に設定されているので、配送対象から除外される。
以上の過程を、ゾーン内移動機識別子セット（ＳＳ１Ｚ）に含まれる総ての移動機識別子（Ｓ１ｉ）に対して実行した後〔図１８、ステップＳＢ９〕、配送対象として選出した総ての移動機識別子（Ｓ１ｉ）により配送対象移動機識別子セット（ＳＳ１ＳＰＡ）を作成し、主制御部４１に返送する〔図１８、ステップＳＢＡ〕。
【００８５】
主制御部４１は、検索処理部４５から所要の配送対象移動機識別子セット（ＳＳ１ＳＰＡ）を受信すると〔図１１、ステップＳ４５〕、検索処理部４５から受信した配送対象移動機識別子セット（ＳＳ１ＳＰＡ）と、情報提供受付部４２から受信して保持中のサービス情報（ＳＶＶ　）とを、情報送信部４４に伝達する〔図１１、ステップＳ４６〕。
【００８６】
情報送信部４４は、主制御部４１から伝達された配送対象移動機識別子セット（ＳＳ１ＳＰＡ）に含まれる各移動機識別子（Ｓ１ｉ）に対し、下記の処理をそれぞれ実行する。
【００８７】
情報送信部４４は、主制御部４１から伝達された配送対象移動機識別子セット（ＳＳ１ＳＰＡ）と、サービス情報（ＳＶＶ　）とを受信すると、前述の図１５、ステップＳ８１乃至Ｓ８６に示される処理過程により、配送対象移動機識別子セット（ＳＳ１ＳＰＡ）を構成する各移動機識別子（Ｓ１ｉ）により指定される各移動機１ｉ　に、情報提供要求装置５ｋ　から伝達されたサービス情報（ＳＶＶ　）を、順次配送する。
【００８８】
以上により、当該情報提供システムは、情報提供要求装置５ｋ　がゾーン識別子（ＳＺｊ）により指定したゾーン（Ｚｊ　）に在圏する移動機１ｉ　の内、サービス利用登録済であり、且つサービス利用可能状態にある移動機１ｉ　のみに、情報提供要求装置５ｋ　が提供するサービス情報（ＳＶＶ　）を配送することとなる。
【００８９】
次に、当該情報提供システムが提供するサービスの利用登録中の移動機１ａ　が登録抹消を希望し、（３）に設定したサービス利用フラグ（ＦＵｙ）を含むサービス利用要求情報〔ＲＱ１Ａａ　（ＦＵｙ＝３）〕を作成した後、公知の呼設定手順に基づき、在圏ゾーン（Ｚｊ　）を形成する無線基地局２ｊ　を経由してネットワーク６に、移動機１ｉ　と情報サービス提供装置４との間に通信路の設定要求を行った後、作成したサービス利用要求情報〔ＲＱ１ａ（ＦＵｙ＝３）〕を、設定された通信路を経由して情報サービス提供装置４に送信する。
【００９０】
情報サービス提供装置４においては、サービス利用処理部４６が、ネットワーク６からの通信路設定要求を受付け、発呼移動機１ａ　の移動機識別子（Ｓ１ａ）を取得した後〔図２０、ステップＳＤ１〕、移動機１ａ　から送信されたサービス利用要求情報〔ＲＱ１Ａａ　（ＦＵｙ＝３）〕を受信すると〔図２０、ステップＳＤ２〕、内蔵するサービス利用フラグ（ＦＵｙ）を抽出して分析し〔図２０、ステップＳＤ３〕、サービス利用フラグ（ＦＵｙ）が（０）に設定されていないことを識別すると〔図２０、ステップＳＤ４〕、フィルタリング情報データベース４Ａを、通信路設定時に取得済の移動機識別子（Ｓ１ａ）を用いて検索し〔図２０、ステップＳＤ６〕、移動機識別子（Ｓ１ａ）に対応する移動機情報類（Ｄ１ａ）が確保済であることを検出すると〔図２０、ステップＳＤ７〕、図２０、ステップＳＤ３における分析結果を参照し〔図２０、ステップＳＤ９〕、サービス利用フラグ（ＦＵｙ＝３）であることを識別すると、移動機情報類（Ｄ１ａ）を削除し、対応領域を解放する。
【００９１】
フィルタリング情報データベース４Ａ内に、移動機識別子（Ｓ１ａ）に対応して確保済の移動機情報（Ｄ１ａ）が削除されたことにより、移動機１ａ　は、情報提供システムに対するサービス利用の登録抹消が完了したこととなる。
【００９２】
次に、本発明（第５の発明）の実施形態によるサービス情報の配送処理を、図２、図３、図４、図６、図７、図８、図１１、図１２、図１５、図１６、図１８、図２０および図２８を用いて説明する。
【００９３】
本発明（第５の発明）の実施形態においても、情報サービス提供装置４内に設けられた各部の内、主制御部４１、情報提供受付部４２、位置情報問合せ部４３、情報送信部４４、サービス利用処理部４６、検索処理部４５およびフィルタリング情報データベース４Ａのみが有効に機能する。
【００９４】
図２、図３、図４、図６、図７、図８、図１１、図１２、図１５、図１６、図１８、図２０および図２９において、当該情報提供システムが提供するサービスの利用を登録済で、且つ当該サービスの利用を未開始または一時停止中〔サービス利用情報（ＤＳＵａ　＝０）〕の移動機１ａ　が、当該サービスの利用を開始または停止解除することを希望する場合には、（２）に設定したサービス利用フラグ（ＦＵｙ＝２）を含むサービス利用要求情報〔ＲＱ１Ａａ　（ＦＵｙ＝２）〕を作成した後、前述と同様の過程で、ネットワーク６に対して情報サービス提供装置４との間に通信路の設定要求を行った後、作成したサービス利用要求情報〔ＲＱ１Ａａ　（ＦＵｙ＝２）〕を、作成された通信路を経由して情報サービス提供装置４に送信する。
【００９５】
情報サービス提供装置４においては、サービス利用処理部４６が、ネットワーク６からの通信路設定要求を受付け、発呼移動機１ａ　の移動機識別子（Ｓ１ａ）を取得した後〔図２０、ステップＳＤ１〕、移動機１ａ　から送信されたサービス利用要求情報〔ＲＱ１Ａａ　（ＦＵｙ＝２）〕を受信すると〔図２０、ステップＳＤ２〕、サービス利用要求情報〔ＲＱ１Ａａ　（ＦＵｙ＝２）〕からサービス利用フラグ（ＦＵｙ）を抽出して分析し〔図２０、ステップＳＤ３〕、サービス利用フラグ（ＦＵｙ）が（０）に設定されていないことを識別すると〔図２０、ステップＳＤ４〕、フィルタリング情報データベース４Ａを、通信路設定時に取得済の移動機識別子（Ｓ１ａ）を用いて検索し〔図２０、ステップＳＤ６〕、移動機識別子（Ｓ１ａ）に対応する移動機情報類（Ｄ１ａ）が確保済であることを検出すると〔図２０、ステップＳＤ７〕、図２０、ステップＳＤ３における分析結果を参照し〔図２０、ステップＳＤ９〕、サービス利用フラグ（ＦＵｙ＝２）であることを識別すると、移動機情報類（Ｄ１ａ）に格納済のサービス利用情報〔ＤＳＵａ　＝０〕を、サービス利用可能状態〔即ちＤＳＵａ　＝１〕に設定変更する〔図２０、ステップＳＤＡ〕。
【００９６】
以上により、移動機１ａ　は、情報提供システムが提供するサービスを利用可能となる。
かかる状態で、情報提供要求装置５ｋ　が、所要のメッセージ情報（Ｍｅ　）を特定のゾーン（Ｚｊ　）に在圏する移動機１ｉ　に提供を希望する場合に、提供対象メッセージ情報（Ｍｅ　）を含むサービス情報（ＳＶＶ　）と、提供対象ゾーン（Ｚｊ　）を指定するゾーン識別子（ＳＺｊ）とを含む提供要求情報〔ＲＱ５Ａ（ＳＶＶ　、ＳＺｊ）〕を作成した後、前述と同様の過程で、ネットワーク６に対して情報サービス提供装置４との間に通信路の設定要求を行った後、作成した提供要求情報〔ＲＱ５Ａ（ＳＶＶ　、ＳＺｊ）〕を、設定された通信路を経由して情報サービス提供装置４に送信する。
【００９７】
情報サービス提供装置４においては、情報提供受付部４２が、ネットワーク６からの通信路設定要求を受付けた後、情報提供要求装置５ｋ　から送信された提供要求情報〔ＲＱ５Ａ（ＳＶＶ　、ＳＺｊ）〕を受信すると、前述の図１２、ステップＳ５１乃至Ｓ５３に示される処理過程で、サービス情報（ＳＶＶ　）と、ゾーン識別子（ＳＺｊ）とを抽出し、主制御部４１に伝達する。
【００９８】
主制御部４１は、情報提供受付部４２から伝達されたサービス情報（ＳＶＶ　）とゾーン識別子（ＳＺｊ）とを受信すると、前述の図１１、ステップＳ４１およびＳ４２に示される処理過程により、サービス情報（ＳＶＶ　）を保持すると共に、位置情報問合せ部４３に、ゾーン識別子（ＳＺｊ）により指定されるゾーン（Ｚｊ　）に在圏するゾーン内移動機識別子セット（ＳＳ１Ｚ）を要求する。
【００９９】
位置情報問合せ部４３は、前述の図１６、ステップＳ９１乃至Ｓ９５に示される処理過程により、主制御部４１の要求するゾーン内移動機識別子セット（ＳＳ１Ｚ）を、位置情報管理装置３から取得して主制御部４１に返送する。
【０１００】
なお、前述の移動機１ａ　に対応する移動機識別子（Ｓ１ａ）は、ゾーン内移動機識別子セット（ＳＳ１Ｚ）に含まれているものとする。
続いて主制御部４１は、前述の図１１、ステップＳ４３およびＳ４４に示される処理過程により、情報提供受付部４２から受信・保持中のサービス情報（ＳＶＶ　）と、位置情報問合せ部４３から返送されたゾーン内移動機識別子セット（ＳＳ１Ｚ）とを検索処理部４５に伝達し、ゾーン内移動機識別子セット（ＳＳ１Ｚ）内の配送対象移動機識別子セット（ＳＳ１ＳＰＡ）を要求する。
【０１０１】
検索処理部４５は、前述の図１８、ステップＳＢ１乃至ＳＢＡに示される処理過程により、主制御部４１から伝達されたゾーン内移動機識別子セット（ＳＳ１Ｚ）を構成する各移動機識別子（Ｓ１ｉ）を一つ宛順次抽出し、フィルタリング情報データベース４Ａ内に確保済の移動機情報類（Ｄ１ｉ）内のサービス利用情報（ＤＳＵｉ　）が利用可能状態〔ＤＳＵｉ　＝１〕に設定済の移動機識別子（Ｓ１ｉ）を配送対象として選出し、配送対象移動機識別子セット（ＳＳ１ＳＰＡ）を構成して主制御部４１に返送する。
【０１０２】
なお前述の移動機１ａ　も、サービス利用情報（ＤＳＵｉ　）が利用可能状態〔ＤＳＵｉ　＝１〕に設定されているので、配送対象として選出される。
主制御部４１は、検索処理部４５から所要の配送対象移動機識別子セット（ＳＳ１ＳＰＡ）を受信すると、前述の図１１、ステップＳ４５およびＳ４６に示される処理過程により、配送対象移動機識別子セット（ＳＳ１ＳＰＡ）とサービス情報（ＳＶＶ　）とを、情報送信部４４に伝達し、配送対象移動機識別子セット（ＳＳ１ＳＰＡ）を構成する総ての移動機識別子（Ｓ１ｉ）に対応する移動機１ｉ　に、サービス情報（ＳＶＶ　）の配送を要求するが、前述の移動機１ａ　は配送対象とされている為、サービス情報（ＳＶＶ　）は配送されることとなる。
【０１０３】
以上により、当該サービスを利用中の移動機１ｉ　の内、（２）に設定されたサービス利用フラグ（ＦＵｙ＝２）を含むサービス利用要求情報〔ＲＱ１Ａａ　（ＦＵｙ＝２）〕を送信した移動機１ａ　は、情報提供要求装置５ｋ　が提供するサービス情報（ＳＶＶ　）を配送されることとなり、当該情報提供システムの提供するサービスの利用を停止解除可能となる。
【０１０４】
次に、本発明（第６の発明）の実施形態によるサービス情報の配送処理を、図２、図３、図４、図６、図７、図８、図１１、図１２、図１５、図１６、図１８、図２０および図２９を用いて説明する。
【０１０５】
本発明（第６の発明）の実施形態においても、情報サービス提供装置４内に設けられた各部の内、主制御部４１、情報提供受付部４２、位置情報問合せ部４３、情報送信部４４、サービス利用処理部４６、検索処理部４５およびフィルタリング情報データベース４Ａのみが有効に機能する。
【０１０６】
図２、図３、図４、図６、図７、図８、図１１、図１２、図１５、図１６、図１８、図２０および図２９において、当該情報提供システムが提供するサービスの利用を登録済で且つ利用可能状態〔サービス利用情報（ＤＳＵｉ　＝１）〕にある移動機１ａ　が、当該サービスの利用を一時停止することを希望する場合には、（１）に設定したサービス利用フラグ（ＦＵｙ＝１）を含むサービス利用要求情報〔ＲＱ１Ａａ　（ＦＵｙ＝１）〕を作成した後、前述と同様の過程で、ネットワーク６に対して情報サービス提供装置４との間に通信路の設定要求を行った後、作成したサービス利用要求情報〔ＲＱ１Ａａ　（ＦＵｙ＝１）〕を、作成された通信路を経由して情報サービス提供装置４に送信する。
【０１０７】
情報サービス提供装置４においては、サービス利用処理部４６が、ネットワーク６からの通信路設定要求を受付け、発呼移動機１ａ　の移動機識別子（Ｓ１ａ）を取得した後〔図２０、ステップＳＤ１〕、移動機１ａ　から送信されたサービス利用要求情報〔ＲＱ１Ａａ　（ＦＵｙ＝１）〕を受信すると〔図２０、ステップＳＤ２〕、サービス利用要求情報〔ＲＱ１Ａａ　（ＦＵｙ＝１）〕からサービス利用フラグ（ＦＵｙ）を抽出して分析し〔図２０、ステップＳＤ３〕、サービス利用フラグ（ＦＵｙ）が（０）に設定されていないことを識別すると〔図２０、ステップＳＤ４〕、フィルタリング情報データベース４Ａを、通信路設定時に取得済の移動機識別子（Ｓ１ａ）を用いて検索し〔図２０、ステップＳＤ６〕、移動機識別子（Ｓ１ａ）に対応する移動機情報類（Ｄ１ａ）が確保済であることを検出すると〔図２０、ステップＳＤ７〕、図２０、ステップＳＤ３における分析結果を参照し〔図２０、ステップＳＤ９〕、サービス利用フラグ（ＦＵｙ＝１）であることを識別すると、移動機情報類（Ｄ１ａ）に格納済のサービス利用情報〔ＤＳＵａ　＝１〕を、サービス利用不能状態〔即ちＤＳＵａ　＝０〕に設定変更する〔図２０、ステップＳＤＡ〕。
【０１０８】
以上により、移動機１ａ　は、情報提供システムが提供するサービスを利用不可能となる。
かかる状態で、情報提供要求装置５ｋ　が、所要のメッセージ情報（Ｍｅ　）を特定のゾーン（Ｚｊ　）に在圏する移動機１ｉ　に提供を希望する場合に、提供対象メッセージ情報（Ｍｅ　）を含むサービス情報（ＳＶＶ　）と、提供対象ゾーン（Ｚｊ　）を指定するゾーン識別子（ＳＺｊ）とを含む提供要求情報〔ＲＱ５Ａ（ＳＶＶ　、ＳＺｊ）〕を作成した後、前述と同様の過程で、ネットワーク６に対して情報サービス提供装置４との間に通信路の設定要求を行った後、作成した提供要求情報〔ＲＱ５Ａ（ＳＶＶ　、ＳＺｊ）〕を、設定された通信路を経由して情報サービス提供装置４に送信する。
【０１０９】
情報サービス提供装置４においては、情報提供受付部４２が、ネットワーク６からの通信路設定要求を受付けた後、情報提供要求装置５ｋ　から送信された提供要求情報〔ＲＱ５Ａ（ＳＶＶ　、ＳＺｊ）〕を受信すると、前述の図１２、ステップＳ５１乃至Ｓ５３に示される処理過程で、サービス情報（ＳＶＶ　）と、ゾーン識別子（ＳＺｊ）とを抽出し、主制御部４１に伝達する。
【０１１０】
主制御部４１は、情報提供受付部４２から伝達されたサービス情報（ＳＶＶ　）とゾーン識別子（ＳＺｊ）とを受信すると、前述の図１１、ステップＳ４１およびＳ４２に示される処理過程により、サービス情報（ＳＶＶ　）を保持すると共に、位置情報問合せ部４３に、ゾーン識別子（ＳＺｊ）により指定されるゾーン（Ｚｊ　）に在圏するゾーン内移動機識別子セット（ＳＳ１Ｚ）を要求する。
【０１１１】
位置情報問合せ部４３は、前述の図１６、ステップＳ９１乃至Ｓ９５に示される処理過程により、主制御部４１の要求するゾーン内移動機識別子セット（ＳＳ１Ｚ）を、位置情報管理装置３から取得して主制御部４１に返送する。
【０１１２】
なお、前述の移動機１ａ　に対応する移動機識別子（Ｓ１ａ）は、ゾーン内移動機識別子セット（ＳＳ１Ｚ）に含まれているものとする。
続いて主制御部４１は、前述の図１１、ステップＳ４３およびＳ４４に示される処理過程により、情報提供受付部４２から受信・保持中のサービス情報（ＳＶＶ　）と、位置情報問合せ部４３から返送されたゾーン内移動機識別子セット（ＳＳ１Ｚ）とを検索処理部４５に伝達し、ゾーン内移動機識別子セット（ＳＳ１Ｚ）内の配送対象移動機識別子セット（ＳＳ１ＳＰＡ）を要求する。
【０１１３】
検索処理部４５は、前述の図１８、ステップＳＢ１乃至ＳＢＡに示される処理過程により、主制御部４１から伝達されたゾーン内移動機識別子セット（ＳＳ１Ｚ）を構成する各移動機識別子（Ｓ１ｉ）を一つ宛順次抽出し、フィルタリング情報データベース４Ａ内に確保済の移動機情報類（Ｄ１ｉ）内のサービス利用情報（ＤＳＵｉ　）が利用可能状態〔ＤＳＵｉ　＝１〕に設定済の移動機識別子（Ｓ１ｉ）を配送対象として選出し、配送対象移動機識別子セット（ＳＳ１ＳＰＡ）を構成して主制御部４１に返送する。
【０１１４】
なお前述の移動機１ａ　は、サービス利用情報（ＤＳＵｉ　）が利用不能状態〔ＤＳＵｉ　＝０〕に設定されているので、配送対象から除外される。
主制御部４１は、検索処理部４５から所要の配送対象移動機識別子セット（ＳＳ１ＳＰＡ）を受信すると、前述の図１１、ステップＳ４５およびＳ４６に示される処理過程により、配送対象移動機識別子セット（ＳＳ１ＳＰＡ）とサービス情報（ＳＶＶ　）とを、情報送信部４４に伝達し、配送対象移動機識別子セット（ＳＳ１ＳＰＡ）を構成する総ての移動機識別子（Ｓ１ｉ）に対応する移動機１ｉ　に、サービス情報（ＳＶＶ　）の配送を要求するが、前述の移動機１ａ　は配送対象から除外されている為、サービス情報（ＳＶＶ　）は配送されぬこととなる。
【０１１５】
以上により、当該サービスを利用中の移動機１ｉ　の内、（１）に設定されたサービス利用フラグ（ＦＵｙ＝１）を含むサービス利用要求情報〔ＲＱ１Ａａ　（ＦＵｙ＝１）〕を送信した移動機１ａ　は、情報提供要求装置５ｋ　が提供するサービス情報（ＳＶＶ　）を配送されぬこととなり、当該情報提供システムの提供するサービスの利用を一時停止可能となる。
【０１１６】
次に、本発明（第７の発明）の実施形態によるサービス情報の配送処理を、図２、図３、図４、図６、図７、図８、図１１、図１２、図１５、図１６、図１９、図２１および図３０を用いて説明する。
【０１１７】
本発明（第７の発明）の実施形態においても、情報サービス提供装置４内に設けられた各部の内、主制御部４１、情報提供受付部４２、位置情報問合せ部４３、情報送信部４４、サービス利用処理部４６、検索処理部４５およびフィルタリング情報データベース４Ａのみが有効に機能する。
【０１１８】
図２、図３、図４、図６、図７、図８、図１１、図１２、図１５、図１６、図１９、図２１および図３０において、当該情報提供システムから提供されるサービス情報（ＳＶＶ　）は、サービス情報（ＳＶＶ　）の所属分野、或いは提供対象として想定される利用者の属性〔例えば性別、年齢層、職業等〕等に応じて、複数種類の分類〔以後ジャンル（Ｇｘ　）と称する（但しｘは１以上の整数）〕の何れかに所属しており、移動機１ａ　が特定のジャンル（Ｇｘ　）〔一乃至複数〕に所属するサービス情報（ＳＶＶ　）の利用を希望する場合には、（０）に設定したサービス利用フラグ（ＦＵｙ）と共に、利用希望ジャンル（Ｇｘ　）を示すジャンル情報（ＤＧｘ）類、〔以後、ジャンル情報セット（ＳＤＧａ）と称する〕を含むサービス利用要求情報〔ＲＱ１Ｂａ　（ＦＵｙ＝０、ＳＤＧａ）〕〔図６（ａ２　）参照〕を作成し、前述と同様に、在圏ゾーン（Ｚｊ　）を形成する無線基地局２ｊ　を経由してネットワーク６に、移動機１ａ　と情報サービス提供装置４との間に通信路の設定要求を行った後、作成したサービス利用要求情報〔ＲＱ１Ｂａ　（ＦＵｙ＝０、ＳＤＧａ）〕を、設定された通信路を経由して情報サービス提供装置４に送信する。
【０１１９】
情報サービス提供装置４においては、サービス利用処理部４６が、ネットワーク６からの通信路設定要求を受付け、発呼移動機１ａ　の移動機識別子（Ｓ１ａ）を取得した後〔図２１、ステップＳＥ１〕、移動機１ａ　から送信されたサービス利用要求情報〔ＲＱ１Ｂａ　（ＦＵｙ＝０、ＳＤＧａ）〕を受信すると〔図２１、ステップＳＥ２〕、サービス利用要求情報〔ＲＱ１Ｂａ　（ＦＵｙ＝０、ＳＤＧａ）〕からサービス利用フラグ（ＦＵｙ）を抽出して分析し〔図２１、ステップＳＥ３〕、（０）に設定されたサービス利用フラグ（ＦＵｙ＝０）であることを識別すると〔図２１、ステップＳＥ４〕、図４に示される如きフィルタリング情報データベース４Ａを参照し、移動機識別子（Ｓ１ａ）に対応する移動機情報類（Ｄ１ａ）を確保した後、サービス利用未開始状態に設定したサービス利用情報（ＤＳＵａ　＝０）を作成し、確保済の移動機情報類（Ｄ１ａ）に格納する〔図２１、ステップＳＥ５〕。
【０１２０】
続いてサービス利用処理部４６は、受信したサービス利用要求情報（ＲＱ１Ｂａ　）内にジャンル情報セット（ＳＤＧｉ）が含まれているか否かを分析し〔図２１、ステップＳＥＤ〕、ジャンル情報セット（ＳＤＧａ）が含まれていることを識別すると〔図２１、ステップＳＥＥ〕、ジャンル情報セット（ＳＤＧａ）を抽出し、確保済の移動機情報類（Ｄ１ａ）に格納する〔図２１、ステップＳＥＦ〕。
【０１２１】
なお分析の結果、サービス利用要求情報（ＲＱ１Ｂａ　）内にジャンル情報セット（ＳＤＧ　）が含まれていなかった場合には、前述の図２０、ステップＳＤ１乃至ＳＤ５に示される処理過程により、処理を終了する〔図２１、ステップＳＥＧ〕。
【０１２２】
次に移動機１ａ　は、登録したサービスの利用を開始する為に、（２）に設定したサービス利用フラグ（ＦＵｙ＝２）を含むサービス利用要求情報〔ＲＱ１Ｂａ　（ＦＵｙ＝２）〕を作成し、前述と同様に、在圏ゾーン（Ｚｊ　）を形成する無線基地局２ｊ　を経由してネットワーク６に、移動機１ａ　と情報サービス提供装置４との間に通信路の設定要求を行った後、作成したサービス利用要求情報〔ＲＱ１Ｂａ　（ＦＵｙ＝２）〕を、設定された通信路を経由して情報サービス提供装置４に送信する。
【０１２３】
情報サービス提供装置４においては、サービス利用処理部４６が、移動機１ａ　から送信されたサービス利用要求情報〔ＲＱ１Ｂａ　（ＦＵｙ＝２）〕を受信し〔図２１、ステップＳＥ２〕、内蔵するサービス利用フラグ（ＦＵｙ）を抽出して分析し〔図２１、ステップＳＥ３〕、サービス利用フラグ（ＦＵｙ）が（０）に設定されていないことを識別すると〔図２１、ステップＳＥ４〕、フィルタリング情報データベース４Ａを、通信路設定時に取得済の移動機識別子（Ｓ１ａ）を用いて検索し〔図２１、ステップＳＥ６〕、移動機識別子（Ｓ１ａ）に対応する移動機情報類（Ｄ１ａ）が確保済であることを検出すると〔図２１、ステップＳＥ７〕、図２１、ステップＳＥ３における分析結果を参照し〔図２１、ステップＳＥ９〕、サービス利用フラグ（ＦＵｙ＝２）であることを識別すると、移動機情報類（Ｄ１ａ）に格納済のサービス利用情報〔ＤＳＵａ　＝０〕を、サービス利用可能状態〔即ちＤＳＵａ　＝１〕に設定変更する〔図２１、ステップＳＥＢ〕。
【０１２４】
以上により、移動機１ａ　は、情報提供システムが提供するサービスを利用可能となる。
かかる状態で、情報提供要求装置５ｋ　が、ジャンル（Ｇｘ　）に所属する所要のメッセージ情報（Ｍｅ　）を特定のゾーン（Ｚｊ　）に在圏する移動機１ｉ　に提供を希望する場合に、提供対象メッセージ情報（Ｍｅ　）に、メッセージ情報（Ｍｅ　）の所属するジャンル（Ｇｘ　）を示すジャンル情報（ＤＧｘ）を付加したサービス情報（ＳＶＶ　）と、提供対象ゾーン（Ｚｊ　）を指定するゾーン識別子（ＳＺｊ）とを含む提供要求情報〔ＲＱ５Ａ（ＳＶＶ　、ＳＺｊ）〕〔図６（ｂ１　）参照〕を作成した後、前述と同様の過程で、ネットワーク６に対して情報サービス提供装置４との間に通信路の設定要求を行った後、作成した提供要求情報〔ＲＱ５Ａ（ＳＶＶ　、ＳＺｊ）〕を、設定された通信路を経由して情報サービス提供装置４に送信する。
【０１２５】
情報サービス提供装置４においては、情報提供受付部４２が、ネットワーク６からの通信路設定要求を受付けた後、情報提供要求装置５ｋ　から送信された提供要求情報〔ＲＱ５Ａ（ＳＶＶ　、ＳＺｊ）〕を受信すると、前述の図１２、ステップＳ５１乃至Ｓ５３に示される処理過程で、サービス情報（ＳＶＶ　）と、ゾーン識別子（ＳＺｊ）とを抽出し、主制御部４１に伝達する。
【０１２６】
主制御部４１は、情報提供受付部４２から伝達されたサービス情報（ＳＶＶ　）とゾーン識別子（ＳＺｊ）とを受信すると、前述の図１１、ステップＳ４１およびＳ４２に示される処理過程により、サービス情報（ＳＶＶ　）を保持すると共に、位置情報問合せ部４３に、ゾーン識別子（ＳＺｊ）により指定されるゾーン（Ｚｊ　）に在圏するゾーン内移動機識別子セット（ＳＳ１Ｚ）を要求する。
【０１２７】
位置情報問合せ部４３は、前述の図１６、ステップＳ９１乃至Ｓ９５に示される処理過程により、主制御部４１の要求するゾーン内移動機識別子セット（ＳＳ１Ｚ）を、位置情報管理装置３から取得して主制御部４１に返送する。
【０１２８】
なお、前述の移動機１ａ　に対応する移動機識別子（Ｓ１ａ）は、ゾーン内移動機識別子セット（ＳＳ１Ｚ）に含まれているものとする。
続いて主制御部４１は、前述の図１１、ステップＳ４３およびＳ４４に示される処理過程により、情報提供受付部４２から受信・保持中のサービス情報（ＳＶＶ　）と、位置情報問合せ部４３から返送されたゾーン内移動機識別子セット（ＳＳ１Ｚ）とを検索処理部４５に伝達し、ゾーン内移動機識別子セット（ＳＳ１Ｚ）内の配送対象移動機識別子セット（ＳＳ１ＳＰＡ）を要求する。
【０１２９】
検索処理部４５は、サービス情報（ＳＶＶ　）と、ゾーン内移動機識別子セット（ＳＳ１Ｚ）と、対応する配送対象移動機識別子セット（ＳＳ１ＳＰＡ）の要求とを受信すると〔図１９、ステップＳＣ１〕、受信したゾーン内移動機識別子セット（ＳＳ１Ｚ）を構成する各移動機識別子（Ｓ１ｉ）を一つ宛順次抽出し〔図１９、ステップＳＣ２〕、配送対象移動機識別子セット（ＳＳ１ＳＰＡ）の構成要素を、図１９、ステップＳＣ３乃至ＳＣＢに示される手順で検索する。
【０１３０】
先ず検索処理部４５は、フィルタリング情報データベース４Ａを参照し、抽出した移動機識別子（Ｓ１ｉ）に対応する移動機情報（Ｄ１ｉ）が確保済か否かを検索し〔図１９、ステップＳＣ３およびＳＣ４〕、対応する移動機情報類（Ｄ１ｉ）が検出不能の場合には、当該移動機識別子（Ｓ１ｉ）に対応する移動機１ｉ　はサービス利用未登録と判定し、配送対象から除外する〔図１９、ステップＳＣＡ〕。
【０１３１】
また検索の結果、移動機情報（Ｄ１ｉ）に対応する移動機情報類（Ｄ１ｉ）が検出された場合には〔図１９、ステップＳＣ４〕、当該移動機識別子（Ｓ１ｉ）に対応する移動機１ｉ　はサービス利用登録済と判定し、続いて移動機情報（Ｄ１ｉ）内に格納済のサービス利用情報（ＤＳＵｉ　）を抽出し、設定状態を分析する〔図１９、ステップＳＣ５〕。
【０１３２】
分析の結果、サービス利用情報（ＤＳＵｉ　）が利用不能状態〔ＤＳＵｉ　＝０〕に設定されている場合には〔図１９、ステップＳＣ６〕、当該移動機識別子（Ｓ１ｉ）に対応する移動機１ｉ　はサービス利用不能状態にあると判定し、配送対象から除外する〔図１９、ステップＳＣＡ〕。
【０１３３】
また分析の結果、サービス利用情報（ＤＳＵｉ　）が利用可能状態〔ＤＳＵｉ　＝１〕に設定されている場合には〔図１９、ステップＳＣ６〕、当該移動機識別子（Ｓ１ｉ）に対応する移動機１ｉ　はサービス利用可能状態に設定済と判定し、続いて移動機情報類（Ｄ１ｉ）内に格納済のジャンル情報セット（ＳＤＧｉ）を抽出し、主制御部４１から受信済のサービス情報（ＳＶＶ　）に含まれるジャンル情報（ＤＧｘ）と比較する〔図１９、ステップＳＣ７〕。
【０１３４】
比較の結果、サービス情報（ＳＶＶ　）に含まれるジャンル情報（ＤＧｘ）が、移動機情報類（Ｄ１ｉ）から抽出したジャンル情報セット（ＳＤＧｉ）に含まれぬ場合には、当該サービス情報（ＳＶＶ　）は移動機識別子（Ｓ１ｉ）に対応する移動機１ｉ　の利用希望対象外と判定し、当該移動機識別子（Ｓ１ｉ）に対応する移動機１ｉ　を配送対象から除外する〔図１９、ステップＳＣＡ〕。
【０１３５】
また比較の結果、サービス情報（ＳＶＶ　）に含まれるジャンル情報（ＤＧｘ）が、移動機情報類（Ｄ１ｉ）から抽出したジャンル情報セット（ＳＤＧｉ）に含まれる場合には、当該サービス情報（ＳＶＶ　）は移動機識別子（Ｓ１ｉ）に対応する移動機１ｉ　の利用希望対象内と判定し、当該移動機識別子（Ｓ１ｉ）に対応する移動機１ｉ　を配送対象として選出する〔図１９、ステップＳＣ９〕。
【０１３６】
なお前述の移動機１ａ　も、当該サービス情報（ＳＶＶ　）に含まれるジャンル情報（ＤＧｘ）を含むジャンル情報セット（ＳＤＧａ）を移動機情報類（Ｄ１ａ）内に格納済とすると、当該サービス情報（ＳＶＶ　）の配送対象として選出される。
【０１３７】
以上の過程を、ゾーン内移動機識別子セット（ＳＳ１Ｚ）に含まれる総ての移動機識別子（Ｓ１ｉ）に対して実行した後〔図１９、ステップＳＣＢ〕、配送対象として選出した総ての移動機識別子（Ｓ１ｉ）により配送対象移動機識別子セット（ＳＳ１ＳＰＡ）を作成し、主制御部４１に返送する〔図１９、ステップＳＣＣ〕。
【０１３８】
主制御部４１は、検索処理部４５から所要の配送対象移動機識別子セット（ＳＳ１ＳＰＡ）を受信すると〔図１１、ステップＳ４５〕、検索処理部４５から受信した配送対象移動機識別子セット（ＳＳ１ＳＰＡ）と、情報提供受付部４２から受信して保持中のサービス情報（ＳＶＶ　）とを、情報送信部４４に伝達し〔図１１、ステップＳ４６〕、配送対象移動機識別子セット（ＳＳ１ＳＰＡ）を構成する総ての移動機識別子（Ｓ１ｉ）に対応する移動機１ｉ　に、サービス情報（ＳＶＶ　）の配送を要求するが、前述の移動機１ａ　は配送対象とされている為、サービス情報（ＳＶＶ　）は配送されることとなる。
【０１３９】
以上により、当該サービスを利用する移動機１ａ　は、サービス利用登録時に、利用を希望するジャンル情報セット（ＳＤＧａ）を併せ登録することにより、ジャンル情報セット（ＳＤＧａ）に指定されるジャンル情報（ＤＧｘ）に所属するサービス情報（ＳＶＶ　）のみを配送されることとなる。
【０１４０】
以上の説明から明らかな如く、本発明（第１の発明）の実施形態によれば、情報提供要求装置５ｋ　が指定したゾーン（Ｚｊ　）に在圏中の移動機１ｉ　に対して作成したメッセージ情報（Ｍｅ　）を配送可能となり、また本発明（第２の発明）の実施形態によれば、情報提供要求装置５ｋ　が配送対象ゾーン（Ｚｊ　）を指定しなくとも、情報提供要求装置５ｋ　の在圏ゾーン（Ｚｊ　）に在圏中の移動機１ｉ　に対して作成したメッセージ情報（Ｍｅ　）を配送可能となり、また本発明（第３の発明）の実施形態によれば、情報提供要求装置５ｋ　が指定したゾーン（Ｚｊ　）に在圏中の移動機１ｉ　に対し、指定したタイミングにより、作成したメッセージ情報（Ｍｅ　）を配送可能となり、また本発明（第４乃至６の発明）の実施形態によれば、移動機１ｉ　の意志により当該情報提供システムの提供するサービスを利用するか否かを指定可能となり、更に本発明（第７の発明）の実施形態によれば、当該情報提供システムが提供する複数のジャンル（Ｇｘ　）の中から、移動機１ｉ　が指定するジャンル（Ｇｘ　）のサービスを利用可能となり、当該情報提供システムの利便性および効率が大幅に向上する。
【０１４１】
なお、図２乃至図３０はあく迄本発明の一実施形態に過ぎず、例えば情報サービス提供装置４は、情報提供要求装置５ｋ　から配送要求を受信する度に配送対象ゾーン（Ｚｊ　）に在圏する移動機１ｉ　を問合せるものに限定されることは無く、情報サービス提供装置４が各移動機１ｉ　のゾーン（Ｚｊ　）を定期的に位置情報管理装置３から取得しておき、情報提供要求装置５ｋ　からの配送要求を受信した際に取得済のゾーン（Ｚｊ　）に基づき在圏移動機１ｉ　を識別する等、他に幾多の変形が考慮されるが、何れの場合にも本発明の効果は変わらない。
【０１４２】
また移動機１ｉ　のサービス利用登録は、移動機１ｉ　自体からネットワーク６を経由して情報サービス提供装置４に通信するものに限定されることは無く、ＷＷＷ或いはパソコン通信等によるオンライン受付、或いは郵送によるオフライン受付による等、他に幾多の変形が考慮されるが、移動機識別子（Ｓ１ｉ）を含みさえすれば、何れの場合にも本発明の効果は変わらない。
【０１４３】
また本発明（第１乃至３の発明）の実施形態は、配送対象ゾーン（Ｚｊ　）に在圏する総ての移動機１ｉ　を配送対象するものに限定されることは無く、本発明（第４乃至７の発明）の実施形態によりサービス利用可能な移動機１ｉ　のみを対象とする等、他に幾多の変形が考慮されるが、何れの場合にも本発明の効果は変わらない。また本発明（第４乃至７の発明）の実施形態は、本発明（第１の発明）の実施形態による配送を要求する情報提供要求装置５ｋ　に対応するものに限定されることは無く、本発明（第２または第３の発明）の実施形態による配送を要求する情報提供要求装置５ｋ　に対応する等、他に幾多の変形が考慮されるが、何れの場合にも本発明の効果は変わらない。また本発明の対象とする情報提供システムの構成は、図示されるものに限定されることは無く、例えば情報サービス提供装置４と位置情報管理装置３とを汎用のネットワーク６を経由して接続せずに、専用の通信網等を介して接続する等、他に幾多の変形が考慮されるが、何れの場合にも本発明の効果は変わらない。
【０１４４】
【発明の効果】
以上、本発明によれば、情報提供要求装置は、作成したサービス情報を所望地域内に現存する移動機に配送可能となり、またサービス情報の提供時期を指定することも可能となり、一方移動機は、当該サービスの利用を登録することにより、情報提供要求装置の作成するサービス情報を利用可能となり、また必要に応じてサービスの利用を一時停止および停止解除可能となり、更にサービス情報の分類を指定して利用することも可能となり、当該情報提供システムの利用効果が大幅に向上する。
【図面の簡単な説明】
【図１】本発明の原理図
【図２】本発明の実施形態による情報提供システム
【図３】図２における位置情報データベース
【図４】図２におけるフィルタリング情報データベース
【図５】図２におけるタイミング情報メモリ
【図６】本発明の実施形態による各種情報形式（その一）
【図７】本発明の実施形態による各種情報形式（その二）
【図８】本発明の実施形態による位置情報通知処理（ゾーン内移動機の位置情報）
【図９】本発明（第２の発明）の実施形態による位置情報通知処理（情報提供要求装置の位置情報）
【図１０】本発明（第１乃至３の発明）の実施形態による主制御処理
【図１１】本発明（第４乃至７の発明）の実施形態による主制御処理
【図１２】本発明（第１の発明）の実施形態による情報提供受付処理
【図１３】本発明（第２の発明）の実施形態による情報提供受付処理
【図１４】本発明（第３の発明）の実施形態による情報提供受付処理
【図１５】本発明の実施形態による情報送信処理
【図１６】本発明の実施形態による位置情報問合せ処理（ゾーン内移動機の位置情報）
【図１７】本発明（第２の発明）の実施形態による位置情報問合せ処理（情報提供要求装置の位置情報）
【図１８】本発明（第４乃至６の発明）の実施形態による検索処理
【図１９】本発明（第７の発明）の実施形態による検索処理
【図２０】本発明（第４乃至６の発明）の実施形態によるサービス利用処理
【図２１】本発明（第７の発明）の実施形態によるサービス利用処理
【図２２】本発明（第２の発明）の実施形態による特定区域解析処理
【図２３】本発明（第３の発明）の実施形態によるタイミング処理
【図２４】本発明（第１の発明）の実施形態によるサービス情報配送シーケンス
【図２５】本発明（第２の発明）の実施形態によるサービス情報配送シーケンス
【図２６】本発明（第３の発明）の実施形態によるサービス情報配送シーケンス
【図２７】本発明（第４の発明）の実施形態によるサービス情報配送シーケンス
【図２８】本発明（第５の発明）の実施形態によるサービス情報配送シーケンス
【図２９】本発明（第６の発明）の実施形態によるサービス情報配送シーケンス
【図３０】本発明（第７の発明）の実施形態によるサービス情報配送シーケンス
【符号の説明】
１　移動機
２　無線基地局
３　位置情報管理装置
４　情報サービス提供装置
５　情報提供要求装置
６　ネットワーク
３１　位置情報データベース
４１　主制御部
４２　情報提供受付部
４３　位置情報問合せ部
４４　情報送信部
４５　検索処理部
４６　サービス利用処理部
４７　特定区域解析部
４８　タイミング処理部
４Ａ　フィルタリング情報データベース
４Ｂ　タイミング情報メモリ
４０１　位置情報問合せ手段
４０２　サービス情報配送手段
４０３　配送タイミング制御手段
４０４　利用者登録手段
【図１】
2004007417.tif 000003
【図２】
2004007417.tif 000004
【図３】
2004007417.tif 000005
【図４】
2004007417.tif 000006
【図５】
2004007417.tif 000007
【図６】
2004007417.tif 000008
【図７】
2004007417.tif 000009
【図８】
2004007417.tif 000010
【図９】
2004007417.tif 000011
【図１０】
2004007417.tif 000012
【図１１】
2004007417.tif 000013
【図１２】
2004007417.tif 000014
【図１３】
2004007417.tif 000015
【図１４】
2004007417.tif 000016
【図１５】
2004007417.tif 000017
【図１６】
2004007417.tif 000018
【図１７】
2004007417.tif 000019
【図１８】
2004007417.tif 000020
【図１９】
2004007417.tif 000021
【図２０】
2004007417.tif 000022
【図２１】
2004007417.tif 000023
【図２２】
2004007417.tif 000024
【図２３】
2004007417.tif 000025
【図２４】
2004007417.tif 000026
【図２５】
2004007417.tif 000027
【図２６】
2004007417.tif 000028
【図２７】
2004007417.tif 000029
【図２８】
2004007417.tif 000030
【図２９】
2004007417.tif 000031
【図３０】
2004007417.tif 000032